(57)【要約】【課題】  内部を気密にした棒状化粧料繰り出し容器において、負圧による化粧料のガタ付きを抑制し、また口紅の蓋筒体内面への接触を防止した繰り出し容器を提供する。【解決手段】  収納筒体と外筒体との相対回転により化粧料を突出、後退させる棒状化粧料繰り出し容器において、外筒体に嵌合する気密用筒体を蓋筒体に設けて容器内部を密閉することとした。  これにより、蓋筒体を開けて気密用筒体を開放させても、収納筒体内のみに負圧がかからず、口紅が浮き上がらずガタ付きを生じさせない。  また、蓋筒体と外筒体とが気密用筒体により嵌合しているので、蓋筒体と外筒体とを互いに回転させても口紅が容器内で繰り出されず、蓋筒体の天井面に接触することがない。【選択図】  図１
2005237894.tif 000002
【特許請求の範囲】
【請求項１】
外筒体と、
外筒体に着脱自在に嵌合する蓋筒体と、
外筒体の内側に該外筒体に対して回動自在に設けられた収納筒体と、
収納筒体内に軸方向に移動自在に設けられ、外筒体と収納筒体との回動動作により該収納筒体の開口面より突出、後退される棒状化粧料とを備えた棒状化粧料繰り出し容器において、
蓋筒体の内面に、外筒体の上部縁部に設けられた装着筒体に嵌合し気密を保持する気密用筒体を備えたことを特徴とした棒状化粧料繰り出し容器。
【請求項２】
装着筒体の上部外周面に、気密用筒体の下端外周面を押圧する環状突条を設け、かつ気密用筒体の下端外周面と蓋筒体内面との間に気密用筒体下端部の変形空間としての間隙を設けたことを特徴とする請求項１に記載の棒状化粧料繰り出し容器。
【請求項３】
外筒体と収納筒体との回動動作により棒状化粧料と一体に収納筒体内を軸方向に移動する受皿体を有し、収納筒体内で最下端に配置した該受皿体の上部とほぼ等しい高さ位置に環状突条を形成したことを特徴とした請求項１又は２に記載の棒状化粧料繰り出し容器。
【請求項４】
装着筒体の内方に、収納筒体の外側面に摺動自在でかつ気密に接触するシール筒体を組み付けたことを特徴とした請求項１から３のいずれか１項に記載の棒状化粧料繰り出し容器。
【発明の詳細な説明】
【技術分野】
【０００１】
本発明は、口紅、リップクリーム、スティックアイシャドー、スティックファンデーション等の棒状化粧料を気密に収容できる棒状化粧料繰り出し容器に関する。
【背景技術】
【０００２】
口紅等の棒状化粧料を収容した棒状化粧料繰り出し容器は、一般に外筒体の内側に抜け止めした収納筒体を外筒体に対して回動自在に設け、外筒体と収納筒体とを相対的に回動させることにより、収納筒体内に移動自在に設けられた受皿体を移動させて、繰り出し容器から棒状化粧料を突出、後退させていた。
【０００３】
繰り出し容器には、内部に収容した棒状化粧料の乾燥を防止するため気密性を備えたものも知られている。従来の気密性を備えた容器を図４に示す。この容器は、収納筒体４１の上部開口面４２に嵌合する内キャップ４３を、外筒体４４に着脱自在に設けられた蓋筒体４５の内面に設け、蓋筒体４５を外筒体４４に嵌合すると内キャップ４３により収納筒体４１内を密閉し、口紅４６を乾燥等から保護していた。
【特許文献１】特開２００１−２８６３３６号公報。
【発明の開示】
【発明が解決しようとする課題】
【０００４】
しかしながら上記容器のように、収納筒体４１の上部開口面４２を内キャップ４３等の気密用蓋体で覆って密閉状態にすると、蓋筒体４５を外筒体４４から引き上げたとき内キャップ４３も収納筒体４１に対して引き上げられることから収納筒体４１の内部に負圧が生じる。かかる負圧は、収納筒体４１の内部に収容された口紅４６の上面に生じるので、口紅４６を受皿体４７から引き上げる方向に作用し、かかる引き上げ力が口紅４６に繰り返し作用すると、内キャップ４３の内面に口紅４６が接触する、いわゆる天付きや、口紅４６が折損することがあった。
【０００５】
また内キャップ４３は蓋筒体４５と収納筒体４１とを嵌合させるので、蓋筒体４５と外筒体４４とを相対的に回転させると収納筒体４１が外筒体４４に対して回転してしまい、口紅４６が容器内で上昇し、口紅４６の上面を蓋筒体４５の天井面内側、すなわち内キャップ４３の内面に接触させてしまうことがあった。
【０００６】
本発明は、口紅等の化粧料を気密に収容した繰り出し容器において、化粧料の折損を発生させず、また蓋筒体の天井面内側に口紅の上面を接触させることのない棒状化粧料繰り出し容器を提供することを目的とする。
【課題を解決するための手段】
【０００７】
本発明は上記課題を解消すべく、棒状化粧料繰り出し容器を次のように構成した。
【０００８】
１．外筒体と、外筒体に着脱自在に嵌合する蓋筒体と、外筒体の内側に外筒体に対して回動自在に設けられた収納筒体と、収納筒体内に軸方向に移動自在に設けられ、収納筒体と外筒体との相対回転により収納筒体より突出、後退される化粧料とからなる棒状化粧料繰り出し容器において、蓋筒体の内面に、外筒体と気密に嵌合する気密用蓋体を備えることとした。
【０００９】
２．１に記載の棒状化粧料繰り出し容器において、装着筒体の上部外周面に、気密用筒体の下端外周面を押圧する環状突条を設け、かつ気密用筒体の下端外周面と蓋筒体内面との間に気密用筒体下端部の変形代としての間隙を設けた。
【００１０】
３．１または２に記載の棒状化粧料繰り出し容器において、外筒体と収納筒体との回動動作により棒状化粧料と一体に収納筒体内を軸方向に移動する受皿体を有し、収納筒体内で最下端に配置した該受皿体の上部近傍と等しい高さに環状突条を形成した。
【００１１】
４．１から３のいずれかに記載の棒状化粧料繰り出し容器において、装着筒体の内方に、収納筒体の外側面に摺動自在でかつ気密に接触するシール筒体を組み付けた。
【発明の効果】
【００１２】
本発明は、上記構成となっているので、以下に示す効果を有している。
【００１３】
蓋筒体を外したときに気密用筒体が 装着筒体から外れるため収納筒体の内部に大きな負圧が発生せず、負圧の発生を原因とした化粧料の折損を生じさせない。また外筒体と蓋筒体とが相対回転しても収納筒体と外筒体との間での回転は起こらないため、容器内部で化粧料が移動することがなく、蓋筒体の天井内面に口紅等の化粧料が接触しない。
【００１４】
気密用筒体の下端が、装着筒体の環状突条により外方に向けて押圧され、装着筒体と蓋筒体に密着されるので、繰り出し容器内部の気密を確実に保持できる。
【００１５】
気密用筒体の嵌合位置が受皿体の上部とほぼ等しい高さ位置にあるため、蓋筒体を引き抜いた際の収納筒体内に発生する負圧を低減させ、化粧料の折損を低減できる。
【００１６】
シール筒体により容器の気密性を高め、化粧料の乾燥を防止できる。
【発明を実施するための最良の形態】
【００１７】
本発明にかかる繰り出し容器の実施形態を、図面を参照しながら説明する。
【００１８】
棒状化粧料繰り出し容器１（以下、容器１とする）は、図１に示すように外筒体２と、外筒体２に着脱自在に嵌合する蓋筒体３と、外筒体２の内側に回動自在に設けられた収納筒体４と、収納筒体４内に昇降自在に設けられた受皿体６と、受皿体６に固定されている化粧料としての口紅Ｋ等から構成されている。
【００１９】
蓋筒体３は図３に示すように有蓋円筒状で、内面に有蓋円筒状の気密用筒体５が一体に取り付けてある。気密用筒体５はゴムや合成樹脂等の弾性体からなり、下部外周には図２に示すように縮径してあり、蓋筒体３の内面との間に間隙１３が形成されている。
【００２０】
外筒体２は、外装筒１０と、外装筒１０の内側に回動不能に固着してある螺旋筒１１と、装着筒体７等からなり、螺旋筒１１の内側に収納筒体４が抜け止めされた状態で回動自在に設けられている。外装筒１０の底部はシール材（図示せず。）を貼るなどして封鎖してある。
【００２１】
装着筒体７は円筒状で、外装筒１０の上端に回動不能に一体に取り付けてある。装着筒体７はほぼ中央に外方に突出した段部９を備え、段部９より下部が外装筒１０の内面に一体に嵌合し、段部９より上部が蓋筒体３の下端内面に嵌合するように外方に湾曲しているとともに更に上端直下に外方に向けて突出した環状突条１４が形成されている。
【００２２】
装着筒体７の内側には、シール筒体８が回転不能に気密に取り付けられている。シール筒体８は円筒状で、弾性部材からなり、上部内面が収納筒体４の外側面に気密で、かつ摺動可能に接触している。
【００２３】
螺旋筒１１には、内面に２条の螺旋溝１２が形成してある。尚、螺旋溝１２の数は２条でなくともよい。
【００２４】
収納筒体４は、螺旋筒１１の内側に螺旋筒１１に対して回動自在に設けられ、側面には中心軸を挟んで対向した２本のガイド縦孔１７が軸心と平行に収納筒体４のほぼ中央部分まで形成してある。
【００２５】
収納筒体４の内側には、口紅Ｋを固定した受皿体６が摺動自在に設けてあり、受皿体６の外方に２箇所形成された螺合突片２１がガイド縦孔１７を貫通し螺旋溝１２内に噛み合わされている。尚、螺合突片２１は２箇所でなく、螺旋溝１２の条数に対応して設けられていればよい。
【００２６】
次に棒状化粧料繰り出し容器１の作用について説明する。
【００２７】
蓋筒体３を外筒体２に組み付けると、蓋筒体３の下端内面が装着筒体７の外周に嵌合するとともに、気密用筒体５が装着筒体７の上部外周に嵌合する。更に気密用筒体５と蓋筒体３との間に間隙１３が形成されているので、装着筒体７に形成された環状突条１４が気密用筒体５を内方から外方に向けて押圧変形し、装着筒体７と気密用筒体５が密着する。
【００２８】
またシール筒体８が装着筒体７と収納筒体４との間を気密に保持するので、容器１の内部、すなわち口紅Ｋの収納部分が気密に保持され、収納筒体４内に収容された口紅Ｋが乾燥等から保護される。
【００２９】
また蓋筒体３は気密用筒体５を介して外筒体２と嵌合し、収納筒体４と嵌合していない。したがってかかる状態で、外筒体２と蓋筒体３とを相対的に回動させても収納筒体４は回動せず、保管中に誤って蓋筒体３を回転させても、収納筒体４の内部で口紅Ｋが移動せず、口紅Ｋの上端が蓋筒体３、すなわち気密用筒体５の天井内面に接触する、いわゆる天付きを生じさせない。
【００３０】
口紅Ｋを使用するため蓋筒体３を外筒体２から取り外すと、気密用筒体５が装着筒体７に嵌合した状態で引き上げられることから内部に気圧の減少が発生するが、かかる気圧の変動は、収納筒体４の内部のみでなく容器１の内部全体で生じることから、負圧によって口紅Ｋが引き上げられるようなことはなく、蓋筒体３の開閉によって口紅Ｋに折損や、天付きを発生させない。
【００３１】
蓋筒体３を外した後外装筒１０と収納筒体４との間で相互に回転させると、受皿体６が収納筒体４内をガイド縦孔１７に沿って上昇し、口紅Ｋが収納筒体４の開口面から突出される。
【００３２】
また、逆の動作により口紅Ｋを収納筒体４内に収容したら、蓋筒体３を外筒体２に嵌合し容器１を密閉する。尚本発明では、化粧料としては口紅に限るものではない。
【図面の簡単な説明】
【００３３】
【図１】本発明にかかる棒状化粧料繰り出し容器を示す全体縦断面図である。
【図２】図１に示した棒状化粧料繰り出し容器の部分拡大断面図である。
【図３】棒状化粧料繰り出し容器を示す分解斜視図である。
【図４】従来例を示す斜視図である。
【符号の説明】
【００３４】
１    容器
２    外筒体
３    蓋筒体
４    収納筒体
５    気密用筒体
６    受皿体
７    装着筒体
８    シール筒体
９    段部
１０  外装筒
１１  螺旋筒
１２  螺旋溝
１３  間隙
１４  環状突条
１７  ガイド縦孔
２１  螺合突片
Ｋ    口紅
【図１】
2005237894.tif 000003
【図２】
2005237894.tif 000004
【図３】
2005237894.tif 000005
【図４】
2005237894.tif 000006